(57)【要約】【課題】歯間の汚れだけでなく、口を開いて舌を外方向へ延伸する必要なく、舌の汚れを取ることができる糸ようじを提供する。【解決手段】  フロスと、ハンドル部とフレーム部とを具えてなるフロスフレーム部と、ハンドル部の一端に設けられた細長い尖状部とを含んでなり、該フロスはフロスフレーム部のフレーム部に設けられ、該フレーム部はハンドル部の他端に形成され、該フレーム部の少なくとも１以上の側面のフレーム部の表面より高い位置に少なくとも１以上の突出部を設けてなる。【選択図】  図１
0003131391.tif 000002
【実用新案登録請求の範囲】
【請求項１】
フロスと、
ハンドル部とフレーム部とを具えてなるフロスフレーム部と、
ハンドル部の一端に設けられた細長い尖状部とを含んでなり、
該フロスはフロスフレーム部のフレーム部に設けられ、
該フレーム部はハンドル部の他端に形成され、
該フレーム部の少なくとも１以上の側面のフレーム部の表面より高い位置に少なくとも１以上の突出部を設けてなることを特徴とする糸ようじ。
【請求項２】
前記フレームの少なくとも１以上の側面のフレーム部表面よりも高い位置に設けられた少なくとも１以上の突出部がフレーム部の表面まで延伸してライン状に設けられるとともに、適宜な高さを具えてなることを特徴とする請求項１に記載の糸ようじ。
【請求項３】
前記突出部がフレーム部の表面に直線状、弧状、鋸の歯状、湾曲したライン状など需要に応じてどのようなライン状にも形成でき、適宜な高さを具えてなることを特徴とする請求項２に記載の糸ようじ。
【請求項４】
前記フレーム部の少なくとも１以上の側面には、フレーム部の表面よりも高さのある少なくとも１以上の突出部を設けてなり、該突出部がフレーム部の表面に複数のブロックを排列して形成され、適宜な高さを具えてなることを特徴とする請求項１に記載の糸ようじ。
【請求項５】
前記突出部がフレーム部の外側表面に延伸した複数のブロックを排列して設けられ、該ブロックが幾何学の形状、不規則などのような形状のブロックでもよく、適宜な高さを具えてなることを特徴とする請求項４に記載の糸ようじ。
【請求項６】
前記突出部の表面がブラシ面になることを特徴とする請求項１、２、４に記載の糸ようじ。
【請求項７】
前記ハンドル部が一端に細長い尖状部を形成し、該尖状部の表面がやすり面になることを特徴とする請求項１に記載の糸ようじ。
【請求項８】
前記やすり面がネット格子状のラインか、或いは粗い粒を設けたの面から形成されることを特徴とする請求項７記載の糸ようじ。
【考案の詳細な説明】
【技術分野】
【０００１】
この考案は、糸ようじに関し、特に歯と歯の間の汚れを取るとともに、舌の表面の汚れも取ることができる糸ようじに関する。
【背景技術】
【０００２】
糸ようじは、歯と歯の間の汚れを取る製品である。その機能と使用する方法は長い間変化がなく、製品の殆どはフレームの一端に設けられた歯と歯の間の汚れを取るフロスか、或いは他端に形成された鋭角な端縁部を利用して歯と歯の間に残った食べ物を取り除く。非常に便利で実用的であるため、多くの人に利用されている。
【０００３】
しかしながら、口の中で食物を咀嚼する場合、歯や歯と歯の間に食べ物のかすが残るだけでなく、食物を飲み込む場合、舌の表面に分布する味覚を感じる受容器の味蕾で味覚を感じるため、舌の表面に汚れが堆積して舌苔が形成される。この舌苔は口臭や美観、人間関係などに影響を与えるだけでなく、病気の原因になる可能性がある。よって適宜に舌苔を取り除くことは病気の予防になるとともに、健康な状態を高めることになる。
【０００４】
しかし、従来の舌ブラシは、堆積が大きいだけでなく、携帯や使用上も不便であったため、一般にあまり普及することがなく、使用者も少なかった。
【０００５】
中華民国実用新案登録番号第３５１１７２号公報は舌の汚れである舌苔を取ることができる糸ようじであって、棒体の一端に形成された方形を呈するフロス部と、他端に形成された鋭角な楊枝端と、該棒体の中断に設けられた偏平で長方形を呈する舌ブラシとを具えてなる。使用者は糸ようじの両端を両手で持ち、舌ブラシを折り曲げるように糸ようじを湾曲させてから舌ブラシを舌の表面に設けて舌苔を取り除く。
【０００６】
しかしながら、上述の構造では、糸ようじ全体の長さが長くなるため、携帯に不便で、舌ブラシを使用する場合には、糸ようじを湾曲させなければならないため、不便である。また、舌ブラシを使用している最中に糸ようじが手から離れた場合には、口の中を傷つける可能性がある。さらに、舌ブラシを使用する場合、口を開けて舌を外方向へ伸ばしてから舌苔を取り除くため、使用中、美観や優雅さに欠けるだけでなく、不便であるため、利用者が増加せず普及率も低かった。よって、レストランやホテルなど公共の場所でも使用している状態を見られることが恥ずかしいため使用できない、などの欠点があった。
【特許文献１】中華民国実用新案登録番号第３５１１７２号公報
【考案の開示】
【考案が解決しようとする課題】
【０００７】
この考案は、歯間の汚れだけでなく、口を開いて舌を外方向へ延伸する必要なく、舌の汚れを取ることができる糸ようじを提供することを課題とする。
【課題を解決するための手段】
【０００８】
そこで、本考案者は従来の技術に見られる欠点に鑑みて鋭意研究を重ねた結果、フロスと、
ハンドル部とフレーム部とを具えてなるフロスフレーム部と、
ハンドル部の一端に設けられた細長い尖状部とを含んでなり、
該フロスはフロスフレーム部のフレーム部に設けられ、
該フレーム部はハンドル部の他端に形成され、
該フレーム部の少なくとも１以上の側面のフレーム部の表面より高い位置に少なくとも１以上の突出部を設けてなる糸ようじの構造によって課題を解決できる点に着眼し、かかる知見に基づいて本考案を完成させた。
【０００９】
以下、この考案について具体的に説明する。
請求項１に記載の糸ようじは、フロスと、
ハンドル部とフレーム部とを具えてなるフロスフレーム部と、
ハンドル部の一端に設けられた細長い尖状部とを含んでなり、
該フロスはフロスフレーム部のフレーム部に設けられ、
該フレーム部はハンドル部の他端に形成され、
該フレーム部の少なくとも１以上の側面のフレーム部の表面より高い位置に少なくとも１以上の突出部を設けてなる。
【００１０】
請求項２に記載の糸ようじは、  請求項１におけるフレームの少なくとも１以上の側面のフレーム部表面よりも高い位置に設けられた少なくとも１以上の突出部がフレーム部の表面まで延伸してライン状に設けられるとともに、適宜な高さを具えてなる。
【００１１】
請求項３に記載の糸ようじは、  請求項２における突出部がフレーム部の表面に直線状、弧状、鋸の歯状、湾曲したライン状など需要に応じてどのようなライン状にも形成でき、適宜な高さを具えてなる。
【００１２】
請求項４に記載の糸ようじは、  請求項１におけるフレーム部の少なくとも１以上の側面には、フレーム部の表面よりも高さのある少なくとも１以上の突出部を設けてなり、該突出部がフレーム部の表面に複数のブロックを排列して形成され、適宜な高さを具えてなる。
【００１３】
請求項５に記載の糸ようじは、  請求項４における突出部がフレーム部の外側表面に延伸した複数のブロックを排列して設けられ、該ブロックが幾何学の形状、不規則などのような形状のブロックでもよく、適宜な高さを具えてなる。
【００１４】
請求項６に記載の糸ようじは、  請求項１、２、４における突出部の表面がブラシ面になる。
【００１５】
請求項７に記載の糸ようじは、  請求項１におけるハンドル部が一端に細長い尖状部を形成し、該尖状部の表面がやすり面になる。
【００１６】
請求項８に記載の糸ようじは、  請求項７におけるやすり面がネット格子状のラインか、或いは粗い粒を設けた面から形成される。
【考案の効果】
【００１７】
この考案による糸ようじは、歯間の汚れだけでなく、舌の汚れも取り除くことができるため、便利で実用的なだけでない効果を有する。
【００１８】
また、この考案の糸ようじは、口の外側に舌を伸ばすことなく舌の汚れを取ることができるため、使用する姿が美しく、どこでも使用することができるという効果を有する。
【考案を実施するための最良の形態】
【００１９】
この考案は、歯間の汚れだけでなく、口を開いて舌を外方向へ延伸する必要なく、舌の汚れを取ることができる糸ようじであって、フロスと、
ハンドル部とフレーム部とを具えてなるフロスフレーム部と、
ハンドル部の一端に設けられた細長い尖状部とを含んでなり、
該フロスはフロスフレーム部のフレーム部に設けられ、
該フレーム部はハンドル部の他端に形成され、
該フレーム部の少なくとも１以上の側面のフレーム部の表面より高い位置に少なくとも１以上の突出部を設けてなる構造と特徴を詳述するために具体的な実施例を挙げ、図示を参照にして以下に説明する。
【実施例】
【００２０】
図１から３は、この考案の実施例を示したものである。この考案の糸ようじは、フロス１０と、ハンドル部２１とフレーム部２２とを具えてなるフロスフレーム部２０と、ハンドル部２１の一端に設けられた細長い尖状部２３とを含んでなり、該フロス１０はフロスフレーム部２０のフレーム部２２に設けられる。また、該フレーム部２２はハンドル部２１の他端に形成される。該尖状部２３の表面にはネット格子状の線か、或いは粗い粒が設けられ、やすり面２４が形成される。よって、尖状部２３を歯間に挿入して食べ物のかすなどを取り除くことができるため、楊枝、或いは糸ようじのような作用を具えてなる。
【００２１】
この考案の糸ようじは、フレーム部２２の少なくとも１以上の側面のフレーム部２２の表面より高い位置に、少なくとも１以上の突出部２５を設ける。該突出部２５はフレーム部２２の表面に線を描くように設けられるとともに、適宜な高さ（図では２本の線からなるが、但し、この限りではない）を具えてなる。突出部２５は図面のように弧を描いて形成するか、或いは直線状、鋸の歯状、湾曲した線状など好みの形状に形成することができる。
【００２２】
使用者は糸楊枝のハンドル部２１を握り、突出部２５を口の中の舌の上に置いて（図４参照）、突出部２５で舌の表面３０を押し圧しながら、糸ようじを口の入り口方向へ移動させるか、或いは舌の表面３０上を押し圧しながら突出部２５に形成したブラシ面で磨いて舌の表面３０の舌苔４０を取り除く。よって、簡単で便利に、舌を口の外方向へ延伸する必要なく優雅な姿で汚れを取り除くことができる。
【００２３】
図５は、この考案の他の実施例を示したものである。上述の実施例と同様に、フロス１０と、ハンドル部２１と、フレーム部２２とを具えてなるフロスフレーム部２０と、ハンドル部２１の一端縁部に設けられた長く尖った尖状部２３（図１、図２参照）とを含んでなる。
【００２４】
この実施例では突出部２５が比較的広い面積を具えた幅広いラインからなり、フレーム部２２の外側表面まで延伸して形成される。また、突出部２５は適宜な高さを具えてなり、突出部２５の外側表面にブラシ面２５１（例えば、ネット状、交差線、或いは粗い粒を設ける）が形成される。
【００２５】
使用者は糸ようじのハンドル部２１を持ち、突出部２５を口の奥へ入れてから舌の上にのせて、突出部２５のブラシ面２５１で舌の表面を押し圧しながら動かして磨き舌の表面の舌苔を取り除く。
【００２６】
図６は、この考案のその他の実施例を示したものである。この実施例は上述の実施例と同様にフロス１０と、ハンドル部２１とフレーム部２２とが設けられたフロスフレーム部２０と、ハンドル部２１の一端縁部に形成された長く尖った尖状部２３（図１、図２参照）とを含んでなる。該突出部２５はフレーム部２２の表面に複数のブロック２５２を排列して設けられる。該ブロック２５２間は適宜な隙間を具えてなり、比較的好ましい方法では隣り合うブロック２５２が互いに交差するように設ける。即ち、ブロック２５２とブロック２５２との間の空間に対応する位置に隣接列のブロック２５２を設ける。
【００２７】
使用者は糸ようじのハンドル部２１を握り、突出部２５を口の中の奥へ入れ、ブロック部２５２を具えた突出部２５を舌の表面にのせて押し圧しながら磨き動かして舌表面の舌苔を取り除く。
【００２８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２９】
【図１】この考案の糸ようじを示した斜視図である。
【図２】この考案の糸ようじを示した平面図である。
【図３】この考案の糸ようじを示した部分拡大図である。
【図４】この考案の糸ようじの使用状態を示した説明図である。
【図５】この考案の糸ようじの他の実施例を示した部分拡大図である。
【図６】この考案の糸ようじのその他の実施例を示した部分拡大図である。
【符号の説明】
【００３０】
１０ フロス
２０ フロスフレーム部
２１ ハンドル部
２２ フレーム部
２３ 尖状部
２４ やすり面
２５ 突出部
２５１ ブラシ面
２５２ ブロック
３０ 舌の表面
４０ 舌苔
【図１】
0003131391.tif 000003
【図２】
0003131391.tif 000004
【図３】
0003131391.tif 000005
【図４】
0003131391.tif 000006
【図５】
0003131391.tif 000007
【図６】
0003131391.tif 000008
【手続補正書】
【提出日】平成19年2月28日(2007.2.28)
【手続補正１】
【補正対象書類名】実用新案登録請求の範囲
【補正対象項目名】請求項６
【補正方法】変更
【補正の内容】
【請求項６】
前記突出部の表面がブラシ面になることを特徴とする請求項１、２、または４記載の糸ようじ。